(57)【要約】      （修正有）【課題】当該月の六曜だけでなく、年間を通して六曜を確認することが可能な吊り下げカレンダーを提供する。【解決手段】少なくとも１カ月単位の暦日表示の表示体１１〜１２を順次重ねて、一辺側を綴じて一括してなる吊り下げカレンダーＫにおいて、各月の暦日表示の表示体の下部４０に年間暦日相当を一括表示させ、該一括表示させた各日にちの周囲の位置に、六曜４４を付してなることを特徴とする吊り下げカレンダーである。【選択図】図１
0003140953.tif 000002
【実用新案登録請求の範囲】
【請求項１】
少なくとも１カ月単位の暦日表示の表示体を順次重ねて、一辺側を綴じて一括してなる吊り下げカレンダーにおいて、各月の暦日表示の表示体の下部に年間暦日相当を一括表示させ、該一括表示させた各日にちの周囲の位置に、六曜を付してなることを特徴とする吊り下げカレンダー。
【請求項２】
少なくとも１カ月単位もしくは２カ月単位の暦日表示の表示体を順次重ねて、一辺側を綴じて一括してなる吊り下げカレンダーにおいて、最終に綴じられる表示体として、他の暦日表示の表示体より下部に露出伸展した伸展部に年間暦日相当を一括表示させ、該一括表示させた各日にちの周囲の位置に、六曜を付してなることを特徴とする吊り下げカレンダー。
【請求項３】
前記各月の暦日表示の表示体の各日にちの周囲の位置に、六曜を付してなることを特徴とする請求項１又は請求項２に記載の吊り下げカレンダー。
【請求項４】
前記六曜を付した年間暦日相当は、当該年又は当該年の翌年の暦日であることを特徴とする請求項１又は請求項２に記載の吊り下げカレンダー。
【請求項５】
前記年間暦日相当を一括表示したものは、当該月の次の月から１年間の暦日を表示させたことを特徴とする請求項１又は請求項２に記載の吊り下げカレンダー。
【請求項６】
前記各月の暦日表示の表示体の上部に、当該月の前月と次月の暦日表示を表示させてなる請求項１又は請求項２に記載の吊り下げカレンダー。
【請求項７】
各月の暦日表示と、当該月の前月と次月の暦日表示と、年間暦日相当の一括表示と、の表示文字の大きさが、各月の暦日表示＞当該月の前月と次月の暦日表示＞年間暦日相当の一括表示、の関係にあることを特徴とする請求項６記載の吊り下げカレンダー。
【考案の詳細な説明】
【技術分野】
【０００１】
本考案は、吊り下げカレンダーに係り、特に１２カ月を月単位にして表示された部分を含んだ吊り下げカレンダーに関するものである。
【背景技術】
【０００２】
従来の吊り下げ型のカレンダーは、同一矩形の表示体を用いて、１カ月単位の暦日を印刷表示したものを重ねていた。そして、月日の経過に応じて、古い暦日の表示体を剥ぎ取り、新しい暦日の表示体を露出させていた。
【０００３】
また、１カ月単位の暦日表示の表示体を順次重ねて、最終に綴じられる表示体として、他の暦日表示の表示体より下部に露出伸展した伸展部に、当該年に相当する年間暦日を一括表示させたものを用いた技術が知られている（特許文献１）
【０００４】
【特許文献１】実登３０８７３５７号公報
【考案の開示】
【考案が解決しようとする課題】
【０００５】
上記の従来の技術では、１カ月単位の暦日を印刷表示したものが同一の矩形状表示体からなるので、各月の予定等を、必要に応じて同カレンダーに記載するなどして活用することができる。
【０００６】
しかし、次の年に跨がる予定を組む場合、上記のように、単に１カ月単位の暦日の表示だったり、当該の年間暦日であったりするだけであるので、数ヶ月先、或いは翌年の六曜を基準にした予定を組むことができないという不都合があった。
【０００７】
本考案の目的は、当該月の六曜だけでなく、年間を通して六曜を確認することが可能な吊り下げカレンダーを提供することにある。
本考案の他の目的は、当該年だけでなく、翌年の六曜をみることが可能で、翌年に跨る予定、を六曜に基づいて計画することが可能な吊り下げカレンダーを提供することにある。
【課題を解決するための手段】
【０００８】
前記課題は、請求項１に係る吊り下げカレンダーによれば、少なくとも１カ月単位の暦日表示の表示体を順次重ねて、一辺側を綴じて一括してなる吊り下げカレンダーにおいて、各月の暦日表示の表示体の下部に年間暦日相当を一括表示させ、該一括表示させた各日にちの周囲の位置に、六曜を付してなること、により解決される。
【０００９】
前記課題は、請求項２に係る吊り下げカレンダーによれば、少なくとも１カ月単位もしくは２カ月単位の暦日表示の表示体を順次重ねて、一辺側を綴じて一括してなる吊り下げカレンダーにおいて、最終に綴じられる表示体として、他の暦日表示の表示体より下部に露出伸展した伸展部に年間暦日相当を一括表示させ、該一括表示させた各日にちの周囲の位置に、六曜を付してなること、により解決される。
【００１０】
以上のように構成すると、１年間相当という期間を通じて六曜が一括して表示されていることになり、当該月の六曜だけでなく、１年間（当該年或いは翌年）を通して六曜を確認することが可能となり、六曜に基づいて、計画を立てることができる。
【００１１】
このとき、請求項３のように、前記各月の暦日表示の表示体の各日にちの周囲の位置に、六曜を付してなると好適である。このように各日にちの周囲に六曜が付されているので、各日にちごとの六曜の確認が容易となる。
【００１２】
また請求項４のように、前記六曜を付した年間暦日相当は、当該年又は当該年の翌年の暦日であると好適である。このようにすると、当該年が表示されている場合には、当該年の六曜を一括で確認することができる。また翌年の暦日が一括表示されている場合には、当該年の六曜は、各月において確認でき、翌年１年の六曜を一括して確認することができ、翌年に跨る予定を六曜に基づいて計画することが可能となる。
【００１３】
さらに、請求項５のように、前記年間暦日相当を一括表示したものは、当該月の次の月から１年間の暦日を表示させると好適である。このように、当該月の翌月から１年先の年間暦日が表示されるので、当該表示月から常に１年先の暦日を六曜に基づいて一括して確認することが可能となる。
【００１４】
また請求項６のように、前記各月の暦日表示の表示体の上部に、当該月の前月と次月の暦日表示を表示させると、好適である。このように当該月の前月と次月の暦日表示を表示させることにより、前月と当該月と翌月とが一目で判別がつき、３ヶ月の暦日が一連となるだけでなく、前月と翌月を確認することが可能となる。
【００１５】
また、請求項７のように、各月の暦日表示と、当該月の前月と次月の暦日表示と、年間暦日相当の一括表示と、の表示文字の大きさが、各月の暦日表示＞当該月の前月と次月の暦日表示＞年間暦日相当の一括表示、の関係にあるようにすると好適である。このように構成すると、常に目に触れる各月の暦日表示が一番大きな数字及び文字となり、次に当該月の前月と次月の暦日表示が中ぐらいの数字及び文字となり、最後に年間暦日を一括表示したものが一番小さい数字及び文字となり、バランスが良いだけでなく、使用頻度に合わせた表示とすることができる。
【考案の効果】
【００１６】
上記本考案によれば、１カ月別表示、２カ月別表示の暦日表示のカレンダーでは、その機能は従来と全く同様であるが、数カ月にわたる予定を組んだり、経過を調べることが、開示されている各月と同時に、当該年の年間暦日、或いは翌年の年間暦日など、年間の暦日相当を同時に考察することができるので、六曜に基づいて、生活上の予定を組んだり、特定の期間を計算したり、調べたりすることが容易にできるという効果を奏することができる。
つまり、当該月の六曜だけでなく、年間相当において、六曜を一括確認することが可能となる。また、年間履歴が翌年のものである場合には、当該年だけでなく、翌年の六曜をみることが可能で、翌年に跨る予定、を六曜に基づいて計画することが可能となる。
以上のように、本考案は、常に年間暦日相当について、六曜が付されて表示されているもので、今までにない六曜に基づく年間相当の暦日を確認することが可能となる。
【考案を実施するための最良の形態】
【００１７】
以下、本考案の一実施形態を図面に基づいて説明する。なお、以下に説明する部材，配置等は本発明を限定するものでなく、本考案の趣旨の範囲内で種々改変することができるものである。
図は本考案の実施形態を示すものであり、図１は第１の実施形態を示す斜視図、図２は第２の実施形態を示す斜視図、図３は第３の実施形態を示す斜視図である。
【００１８】
図１で示すように、本考案の第１の実施形態における吊り下げカレンダーＫは１月より１２月まで、各月の表示体１１，１２・・・・・・２２の１２枚が重ねられて、一端側である上端側が綴じられている。
そして、図１で示すように、中央部３０には、当該月が表示され、この当該月（図示の例では１月）の日にち（３１日間）の各日にちの右下側には、六曜３２，３２・・・が付されている。六曜（ろくよう）３２は、暦注の一つで、先勝・友引・先負・仏滅・大安・赤口の６種である。なお、上記では各月の暦日表示の表示体の各日にちの右下側に六曜３２を付しているが、これに限定されることなく、当該日にちが、どの六曜であるか不明確にならない範囲で、各日にちの数字の周囲の位置に、六曜３２を付すことができるものである。
【００１９】
本実施形態では、前週と上下関係になる日にちで、下側に位置する数字の上に、区画線である横線３１を記述して、意匠を考慮して上下が明確になるようにしている。
また、本実施形態では、各月の暦日表示の表示体の下部４０に年間暦日を一括表示させる領域部分を配置し、この一括表示させた暦年の各月の各日にちの周囲の位置に、六曜４４を付している。この年間暦日の各日にちへ六曜４４を付すには、文字は小さくして、上記当該月に付したのと同様にすることが可能である。年間暦日相当である１〜１２の年間カレンダーの各月は、４列３行で表示している。
【００２０】
本実施形態では、下部４０の位置に六曜を付した年間暦日相当は、当該年の翌年の暦日が表記されている。これにより、翌年の１年間の暦日の六曜を確認することが可能となる。
【００２１】
また、下部４０の位置に六曜を付した年間暦日相当の部分は、上下に区画線４１，４２が形成されて、年間暦日相当であることを強調している。そして、本実施形態では、下側の区画線４２は枠体として、各六曜についての運気の凡例が記述している。例えば、「大安」という文字と、その横には「吉日にて万事進んでよし」などの文字を付している。
【００２２】
なお、本実施形態では下側の区画線４２の下方に空白部分４３を設けており、この部分を従来のカレンダーと同様に、ピーアールのための領域としており、会社名などを記述できるようにしてある。
なお、上記実施例のように年間暦日相当である１〜１２の年間カレンダーの各月を４列３行を、１月〜６月と７月〜１２月の六列２行とすると、下方の空白部分４３の領域を大きくとることが可能であり、ピーアールのための領域を広げることが可能となる。
【００２３】
また本実施形態では、各月の暦日表示の表示体の上部５０に、当該月の前月と次月の暦日表示を表示させている。つまり、図１で示すように、当該月が１月であれば、前年の１２月と、翌月の２月の各月の暦が表記されている。
【００２４】
そして、各月の暦日表示（中央部３０の領域の文字及び数字等）と、当該月の前月と次月の暦日表示（上部５０の領域の数字等）と、年間暦日を一括表示（下部４０の領域の文字及び数字等）の大きさが、各月の暦日表示＞当該月の前月と次月の暦日表示＞年間暦日を一括表示、の関係にあるような、数字及び文字の大きさとしている。
【００２５】
このように構成すると、常に目に触れる各月の暦日表示が一番大きな数字及び文字となり、次に当該月の前月と次月の暦日表示が中ぐらいの数字及び文字となり、最後に年間暦日を一括表示したものが一番小さい数字及び文字となり、バランスが良いだけでなく、使用頻度に合わせた表示とすることができる。
【００２６】
なお、上端の中央に吊り下げ部を形成することもできる。この吊り下げ部は不図示の綴じ部材と別個に、孔を有する突起で形成することもできるが、綴じ部材の中に孔を設けて形成したり、孔を設けずに、例えばＴ字型等の紐が引っかけられるように形成してもよく、要は、壁面等に引っ掛けられるような構成であればなんでもよい。
【００２７】
上記実施形態では、六曜のみの例としているが、中央部３０には、九星（きゅうせい）である、一白・二黒・三碧・四緑・五黄・六白・七赤・八白・九紫の9つを併記するように構成してもよい。
また上記実施形態では、中央部３０には、１ヶ月単位にしているが、２ヶ月を同時に表示することもできる。
また、上記実施形態では、下部４０の位置に六曜を付した年間暦日相当の部分に、上下の区画線４１，４２を形成した例を示したが、区画線を用いないで構成してもよく、或いは、区画線の代わりに、草花や星、その他造形などの各種の装飾模様を用いてもよい。
【００２８】
図２は第２の実施形態を示すものであり、前記実施形態と同様部分には同一符号を付して、その説明を省略する。
本実施形態では、最終に綴じられる表示体として、他の暦日表示の表示体より下部に露出伸展した伸展部６０に年間暦日相当を一括表示させ、この一括表示させた各日にちの周囲の位置に、六曜４４を付してなるものである。
【００２９】
つまり、最終の表示体の伸展部６０は、図では月別表示の最終月の１２月の表示体２２とは別の表示体で、月別表示と重なる部分は何も記載のない真っ白で、且つ月別表示の表示体のサイズ、すなわち月別カレンダー表示部分より下方に伸展露出した大きいサイズとし、その伸展部６０には年間暦日表示が表示されてカレンダーを構成している。そして、年間暦日相当を一括表示させた暦年の各月の各日にちの周囲の位置に、六曜を付している。なお、最終の表示体の伸展部６０は、最終月の１２月の表示体２２と同じものを用いることができるのは勿論である。
【００３０】
図３は、第３の実施形態を示すものであり、前記各実施形態と同様部分には同一符号を付して、その説明を省略する。
この第３の実施形態では、年間暦日相当を一括表示したものが、各月の次の月から１年間の暦日を表示させているものである。つまり、図示の例によれば、当該月が５月である場合には、下部の暦年は６月から翌年の５月まで、としている。このように、当該月の翌月から一年先の年間暦日相当が表示されるので、常に、当該月から一年先の暦日を確認することが可能となり、当該年について、六曜を確認する場合に、一括で確認できるので利便性が向上する。
本実施形態では、年間暦日相当を一括表示したものが、各月の次の月から１年間の暦日を表示させていることが特徴であり、他の構成については、前記各実施形態で説明した構成を適宜選択することが可能であるので、説明を省略する。
【００３１】
なお、上記各実施形態で、年間暦日相当である１〜１２の年間カレンダーの各月を、４列３行で表示しているが、３列４行など、他の表現配列にしてもよい。またカレンダーに、表紙を別途設けてもよい。
以上のように、どの月の暦日であっても、六曜の付された最も表面になる月の暦日表示カレンダーと共に、年間暦日表示カレンダーも六曜が付されたものが表示されるので、これらを同時に見ることができる。
【００３２】
従って、当該月の六曜だけでなく、年間暦日相当を通して六曜を確認することが可能であり、また、当該年が一括表示されている場合には、当該年を一括して確認でき、翌年が一括表示されている場合には、翌年の六曜をみることが可能であるので、冠婚葬祭を含めて、当該年、或いは翌年に跨る予定について、六曜に基づいて計画することが可能であり、特に翌年の年間暦日相当が一括表示されている場合には、当該年については各月について確認し、翌年においては一括表示で確認し、当該年及び翌年に跨って六曜に応じた行事を計画することが可能な極めて利便性の高いカレンダーとなっている。
【００３３】
なお、月別表示体の暦日表示部、及び年間表示部の暦日表示部にメモ記載空所を設けたり、旧暦の吉凶表示を付する等は、従来と変わりなく実施することが可能である。
【図面の簡単な説明】
【００３４】
【図１】本考案の第１の実施形態を示す斜視図である。
【図２】本考案の第２の実施形態を示す斜視図である。
【図３】本考案の第３の実施形態を示す斜視図である。
【符号の説明】
【００３５】
１１，１２・・・２２  表示体
３０  中央部
３２，４４  六曜
３１  横線
４０  下部
４１，４２  区画線
４３  空白部分
５０  上部
６０  伸展部
Ｋ  吊り下げカレンダー
【図１】
0003140953.tif 000003
【図２】
0003140953.tif 000004
【図３】
0003140953.tif 000005